(57)【要約】【課題】複数の画像に互いに異なる適切な表題を付与することができる表題付与装置を提供すること。【解決手段】複数の撮像画像を格納する画像格納部と、複数の撮像画像が撮像された撮像時刻を格納する撮像時刻格納部と、期間に対応づけて、当該期間を含む時間幅の異なる複数の期間にそれぞれ関連する複数の用語を格納する期間用語格納部と、撮像時刻を含む期間に対応づけて期間用語格納部が格納する用語を選択する期間用語選択部と、選択された用語を用いて撮像画像に表題を付与する表題付与部とを備えた。表題付与部が第１撮像画像と第２撮像画像とに同一の表題を付与した場合、期間用語選択部は、第１撮像画像の撮像時刻に対応づけて期間用語格納部が格納する用語のうち、前回第１撮像画像に付与された用語より時間幅の短い期間に関連する第１の用語を選択し、表題付与部は当該第１の用語を用いて、第１撮像画像に表題を再付与する。【選択図】図２
2006236266.tif 000002
【特許請求の範囲】
【請求項１】
複数の撮像画像を格納する画像格納部と、
前記画像格納部が格納する複数の撮像画像が撮像された撮像時刻を格納する撮像時刻格納部と、
期間に対応づけて、当該期間を含む時間幅の異なる複数の期間にそれぞれ関連する複数の用語を格納する期間用語格納部と、
前記撮像時刻格納部が格納する撮像時刻を含む期間に対応づけて前記期間用語格納部が格納する用語を選択する期間用語選択部と、
前記期間用語選択部が選択した用語を用いて、前記画像格納部が格納する撮像画像に表題を付与する表題付与部と
を備え、
前記表題付与部が、第１撮像画像と第２撮像画像とに同一の表題を付与した場合、
前記期間用語選択部は、前記第１撮像画像の撮像時刻に対応づけて前記期間用語格納部が格納する用語のうち、前回前記第１撮像画像に付与された用語より時間幅の短い期間に関連する第１の用語を選択し、
前記表題付与部は、前記期間用語選択部が選択した前記第１の用語を用いて、前記第１撮像画像に表題を再付与する
表題付与装置。
【請求項２】
前記表題付与部が、前記第１撮像画像と前記第２撮像画像とに同一の表題を付与した場合、
前記期間用語選択部は、さらに、前記第２撮像画像の撮像時刻に対応づけて前記期間用語格納部が格納する用語のうち、前回前記第２撮像画像に付与された用語より時間幅の短い期間に関連する、前記第１の用語と異なる第２の用語を選択し、
前記表題付与部は、前記期間用語選択部が選択した前記第２の用語を用いて、前記第２撮像画像に表題を再付与する
請求項１に記載の表題付与装置。
【請求項３】
前記画像格納部は、複数の撮像画像を含む撮像画像群を格納しており、
前記期間用語選択部は、前記画像格納部が格納する撮像画像群に含まれる、複数の撮像画像の撮像時刻を含む撮像期間内の時刻に対応づけて前記期間用語格納部が格納する用語を選択し、
前記表題付与部は、前記期間用語選択部が選択した用語を用いて、前記画像格納部が格納する撮像画像群に表題を付与する
請求項１に記載の表題付与装置。
【請求項４】
複数の撮像画像を格納する画像格納段階と、
前記画像格納段階において格納される複数の撮像画像が撮像された撮像時刻を格納する撮像時刻格納段階と、
期間に対応づけて、当該期間を含む時間幅の異なる複数の期間にそれぞれ関連する複数の用語を格納する期間用語格納段階と、
前記撮像時刻格納段階において格納される撮像時刻を含む期間に対応づけて前記期間用語格納段階において格納される用語を選択する期間用語選択段階と、
前記期間用語選択段階において選択された用語を用いて、前記画像格納段階において格納される撮像画像に表題を付与する表題付与段階と
を備え、
前記表題付与段階において、第１撮像画像と第２撮像画像とに同一の表題が付与された場合、
前記期間用語選択段階において、前記第１撮像画像の撮像時刻に対応づけて前記期間用語格納段階において格納される用語のうち、前回前記第１撮像画像に付与された用語より時間幅の短い期間に関連する第１の用語を選択し、
前記表題付与段階において、前記期間用語選択段階において選択された前記第１の用語を用いて、前記第１撮像画像に表題を再付与する
表題付与方法。
【請求項５】
撮像画像に表題を付与する表題付与装置用のプログラムであって、前記表題付与装置を、
複数の撮像画像を格納する画像格納部、
前記画像格納部が格納する複数の撮像画像が撮像された撮像時刻を格納する撮像時刻格納部、
期間に対応づけて、当該期間を含む時間幅の異なる複数の期間にそれぞれ関連する複数の用語を格納する期間用語格納部、
前記撮像時刻格納部が格納する撮像時刻を含む期間に対応づけて前記期間用語格納部が格納する用語を選択する期間用語選択部、
前記期間用語選択部が選択した用語を用いて、前記画像格納部が格納する撮像画像に表題を付与する表題付与部
として機能させ、
前記表題付与部が、第１撮像画像と第２撮像画像とに同一の表題を付与した場合、
前記期間用語選択部に、前記第１撮像画像の撮像時刻に対応づけて前記期間用語格納部が格納する用語のうち、前回前記第１撮像画像に付与された用語より時間幅の短い期間に関連する第１の用語を選択させ、
前記表題付与部に、前記期間用語選択部が選択した前記第１の用語を用いて、前記第１撮像画像に表題を再付与させる
プログラム。
【請求項６】
複数の撮像画像を格納する画像格納部と、
前記画像格納部が格納する複数の撮像画像が撮像された撮像位置を格納する撮像位置格納部と、
位置に対応づけて、当該位置を含む広さの異なる複数の地域にそれぞれ関連する複数の用語を格納する地域用語格納部と、
前記撮像位置格納部が格納する撮像位置に対応づけて前記地域用語格納部が格納する用語を選択する地域用語選択部と、
前記地域用語選択部が選択した用語を用いて、前記画像格納部が格納する撮像画像に表題を付与する表題付与部と
を備え、
前記表題付与部が、第１撮像画像と第２撮像画像とに同一の表題を付与した場合、
前記地域用語選択部は、前記第１撮像画像の撮像位置に対応づけて前記地域用語格納部が格納する用語のうち、前回前記第１撮像画像に付与された用語より狭い地域に関連する第１の用語を選択し、
前記表題付与部は、前記地域用語選択部が選択した前記第１の用語を用いて、前記第１撮像画像に表題を再付与する
表題付与装置。
【請求項７】
前記表題付与部が、前記第１撮像画像と前記第２撮像画像とに同一の表題を付与した場合、
前記地域用語選択部は、さらに、前記第２撮像画像の撮像位置に対応づけて前記地域用語格納部が格納する用語のうち、前回前記第２撮像画像に付与された用語より狭い地域に関連する、前記第１の用語と異なる第２の用語を選択し、
前記表題付与部は、前記地域用語選択部が選択した前記第２の用語を用いて、前記第２撮像画像に表題を再付与する
請求項６に記載の表題付与装置。
【請求項８】
前記画像格納部は、複数の撮像画像を含む撮像画像群を格納しており、
前記地域用語選択部は、前記画像格納部が格納する撮像画像群に含まれる、複数の撮像画像の撮像位置を含む撮像地域内の位置に対応づけて前記地域用語格納部が格納する用語を選択し、
前記表題付与部は、前記地域用語選択部が選択した用語を用いて、前記画像格納部が格納する撮像画像群に表題を付与する
請求項６に記載の表題付与装置。
【請求項９】
複数の撮像画像を格納する画像格納段階と、
前記画像格納段階において格納される複数の撮像画像が撮像された撮像位置を格納する撮像位置格納段階と、
位置に対応づけて、当該位置を含む広さの異なる複数の地域にそれぞれ関連する複数の用語を格納する地域用語格納段階と、
前記撮像位置格納段階において格納される撮像位置に対応づけて前記地域用語格納段階において格納される用語を選択する地域用語選択段階と、
前記地域用語選択段階において選択された用語を用いて、前記画像格納段階において格納される撮像画像に表題を付与する表題付与段階と
を備え、
前記表題付与段階において、第１撮像画像と第２撮像画像とに同一の表題が付与された場合、
前記地域用語選択段階は、前記第１撮像画像の撮像位置に対応づけて前記地域用語格納段階において格納される用語のうち、前回前記第１撮像画像に付与された用語より狭い地域に関連する第１の用語を選択し、
前記表題付与段階は、前記地域用語選択段階において選択された前記第１の用語を用いて、前記第１撮像画像に表題を再付与する
表題付与方法。
【請求項１０】
撮像画像に表題を付与する表題付与装置用のプログラムであって、前記表題付与装置を、
複数の撮像画像を格納する画像格納部、
前記画像格納部が格納する複数の撮像画像が撮像された撮像位置を格納する撮像位置格納部、
位置に対応づけて、当該位置を含む広さの異なる複数の地域にそれぞれ関連する複数の用語を格納する地域用語格納部、
前記撮像位置格納部が格納する撮像位置に対応づけて前記地域用語格納部が格納する用語を選択する地域用語選択部、
前記地域用語選択部が選択した用語を用いて、前記画像格納部が格納する撮像画像に表題を付与する表題付与部
として機能させ、
前記表題付与部が、第１撮像画像と第２撮像画像とに同一の表題を付与した場合、
前記地域用語選択部に、前記第１撮像画像の撮像位置に対応づけて前記地域用語格納部が格納する用語のうち、前回前記第１撮像画像に付与された用語より狭い地域に関連する第１の用語を選択させ、
前記表題付与部に、前記地域用語選択部が選択した前記第１の用語を用いて、前記第１撮像画像に表題を再付与させる
プログラム。
【発明の詳細な説明】
【技術分野】
【０００１】
本発明は、表題付与装置、表題付与方法、及びプログラムに関する。特に本発明は、撮像された画像に表題を付与する表題付与装置、表題付与方法、及び表題装置用のプログラムに関する。
【背景技術】
【０００２】
デジタルスチルカメラ等で取得された画像データに付帯された日時、位置情報等と、あらかじめ登録されている地図情報、季節行事の知識、暦の知識等とから、画像データのコンテキストを推定して、推定結果に基づいて画像データのタイトル付けをする技術が公開されている（例えば、特許文献１参照。）。
【特許文献１】特開２００２−１０１７８号公報
【発明の開示】
【発明が解決しようとする課題】
【０００３】
しかしながら、特許文献１の技術によって複数の画像データにタイトルを付けると、複数の画像データに同じタイトルが付されてしまう場合がある。したがって、同じタイトルが付された画像をユーザが区別して管理したいとき等には、ユーザがそれぞれ手入力で登録し直す等といった煩雑な作業が必要であった。
【０００４】
そこで本発明は、上記の課題を解決することができる表題付与装置、表題付与方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の第１の形態における表題付与装置は、複数の撮像画像を格納する画像格納部と、画像格納部が格納する複数の撮像画像が撮像された撮像時刻を格納する撮像時刻格納部と、期間に対応づけて、当該期間を含む時間幅の異なる複数の期間にそれぞれ関連する複数の用語を格納する期間用語格納部と、撮像時刻格納部が格納する撮像時刻を含む期間に対応づけて期間用語格納部が格納する用語を選択する期間用語選択部と、期間用語選択部が選択した用語を用いて、画像格納部が格納する撮像画像に表題を付与する表題付与部とを備え、表題付与部が、第１撮像画像と第２撮像画像とに同一の表題を付与した場合、期間用語選択部は、第１撮像画像の撮像時刻に対応づけて期間用語格納部が格納する用語のうち、前回第１撮像画像に付与された用語より時間幅の短い期間に関連する第１の用語を選択し、表題付与部は、期間用語選択部が選択した第１の用語を用いて、第１撮像画像に表題を再付与する。
【０００６】
表題付与部が、第１撮像画像と第２撮像画像とに同一の表題を付与した場合、期間用語選択部は、さらに、第２撮像画像の撮像時刻に対応づけて期間用語格納部が格納する用語のうち、前回第２撮像画像に付与された用語より時間幅の短い期間に関連する、第１の用語と異なる第２の用語を選択し、表題付与部は、期間用語選択部が選択した第２の用語を用いて、第２撮像画像に表題を再付与してよい。
【０００７】
画像格納部は、複数の撮像画像を含む撮像画像群を格納しており、期間用語選択部は、画像格納部が格納する撮像画像群に含まれる、複数の撮像画像の撮像時刻を含む撮像期間内の時刻に対応づけて期間用語格納部が格納する用語を選択し、表題付与部は、期間用語選択部が選択した用語を用いて、画像格納部が格納する撮像画像群に表題を付与してよい。
【０００８】
本発明の第２の形態における表題付与方法は、複数の撮像画像を格納する画像格納段階と、画像格納段階において格納される複数の撮像画像が撮像された撮像時刻を格納する撮像時刻格納段階と、期間に対応づけて、当該期間を含む時間幅の異なる複数の期間にそれぞれ関連する複数の用語を格納する期間用語格納段階と、撮像時刻格納段階において格納される撮像時刻を含む期間に対応づけて期間用語格納段階において格納される用語を選択する期間用語選択段階と、期間用語選択段階において選択された用語を用いて、画像格納段階において格納される撮像画像に表題を付与する表題付与段階とを備え、表題付与段階において、第１撮像画像と第２撮像画像とに同一の表題が付与された場合、期間用語選択段階において、第１撮像画像の撮像時刻に対応づけて期間用語格納段階において格納される用語のうち、前回第１撮像画像に付与された用語より時間幅の短い期間に関連する第１の用語を選択し、表題付与段階において、期間用語選択段階において選択された第１の用語を用いて、第１撮像画像に表題を再付与する。
【０００９】
本発明の第３の形態によると、撮像画像に表題を付与する表題付与装置用のプログラムであって、表題付与装置を、複数の撮像画像を格納する画像格納部、画像格納部が格納する複数の撮像画像が撮像された撮像時刻を格納する撮像時刻格納部、期間に対応づけて、当該期間を含む時間幅の異なる複数の期間にそれぞれ関連する複数の用語を格納する期間用語格納部、撮像時刻格納部が格納する撮像時刻を含む期間に対応づけて期間用語格納部が格納する用語を選択する期間用語選択部、期間用語選択部が選択した用語を用いて、画像格納部が格納する撮像画像に表題を付与する表題付与部として機能させ、表題付与部が、第１撮像画像と第２撮像画像とに同一の表題を付与した場合、期間用語選択部に、第１撮像画像の撮像時刻に対応づけて期間用語格納部が格納する用語のうち、前回第１撮像画像に付与された用語より時間幅の短い期間に関連する第１の用語を選択させ、表題付与部に、期間用語選択部が選択した第１の用語を用いて、第１撮像画像に表題を再付与させる。
【００１０】
本発明の第４の形態における表題付与装置は、複数の撮像画像を格納する画像格納部と、画像格納部が格納する複数の撮像画像が撮像された撮像位置を格納する撮像位置格納部と、位置に対応づけて、当該位置を含む広さの異なる複数の地域にそれぞれ関連する複数の用語を格納する地域用語格納部と、撮像位置格納部が格納する撮像位置に対応づけて地域用語格納部が格納する用語を選択する地域用語選択部と、地域用語選択部が選択した用語を用いて、画像格納部が格納する撮像画像に表題を付与する表題付与部とを備え、表題付与部が、第１撮像画像と第２撮像画像とに同一の表題を付与した場合、地域用語選択部は、第１撮像画像の撮像位置に対応づけて地域用語格納部が格納する用語のうち、前回第１撮像画像に付与された用語より狭い地域に関連する第１の用語を選択し、表題付与部は、地域用語選択部が選択した第１の用語を用いて、第１撮像画像に表題を再付与する。
【００１１】
表題付与部が、第１撮像画像と第２撮像画像とに同一の表題を付与した場合、地域用語選択部は、さらに、第２撮像画像の撮像位置に対応づけて地域用語格納部が格納する用語のうち、前回第２撮像画像に付与された用語より狭い地域に関連する、第１の用語と異なる第２の用語を選択し、表題付与部は、地域用語選択部が選択した第２の用語を用いて、第２撮像画像に表題を再付与してよい。
【００１２】
画像格納部は、複数の撮像画像を含む撮像画像群を格納しており、地域用語選択部は、画像格納部が格納する撮像画像群に含まれる、複数の撮像画像の撮像位置を含む撮像地域内の位置に対応づけて地域用語格納部が格納する用語を選択し、表題付与部は、地域用語選択部が選択した用語を用いて、画像格納部が格納する撮像画像群に表題を付与してよい。
【００１３】
本発明の第５の形態における表題付与方法は、複数の撮像画像を格納する画像格納段階と、画像格納段階において格納される複数の撮像画像が撮像された撮像位置を格納する撮像位置格納段階と、位置に対応づけて、当該位置を含む広さの異なる複数の地域にそれぞれ関連する複数の用語を格納する地域用語格納段階と、撮像位置格納段階において格納される撮像位置に対応づけて地域用語格納段階において格納される用語を選択する地域用語選択段階と、地域用語選択段階において選択された用語を用いて、画像格納段階において格納される撮像画像に表題を付与する表題付与段階とを備え、表題付与段階において、第１撮像画像と第２撮像画像とに同一の表題が付与された場合、地域用語選択段階は、第１撮像画像の撮像位置に対応づけて地域用語格納段階において格納される用語のうち、前回第１撮像画像に付与された用語より狭い地域に関連する第１の用語を選択し、表題付与段階は、地域用語選択段階において選択された第１の用語を用いて、第１撮像画像に表題を再付与する。
【００１４】
本発明の第６の形態によると、撮像画像に表題を付与する表題付与装置用のプログラムであって、表題付与装置を、複数の撮像画像を格納する画像格納部、画像格納部が格納する複数の撮像画像が撮像された撮像位置を格納する撮像位置格納部、位置に対応づけて、当該位置を含む広さの異なる複数の地域にそれぞれ関連する複数の用語を格納する地域用語格納部、撮像位置格納部が格納する撮像位置に対応づけて地域用語格納部が格納する用語を選択する地域用語選択部、地域用語選択部が選択した用語を用いて、画像格納部が格納する撮像画像に表題を付与する表題付与部として機能させ、表題付与部が、第１撮像画像と第２撮像画像とに同一の表題を付与した場合、地域用語選択部に、第１撮像画像の撮像位置に対応づけて地域用語格納部が格納する用語のうち、前回第１撮像画像に付与された用語より狭い地域に関連する第１の用語を選択させ、表題付与部に、地域用語選択部が選択した第１の用語を用いて、第１撮像画像に表題を再付与させる。
【００１５】
なお上記の発明の概要は、本発明の必要な特徴の全てを列挙したものではなく、これらの特徴群のサブコンビネーションもまた発明となりうる。
【発明の効果】
【００１６】
本発明によれば、複数の画像に互いに異なる適切な表題を付与する表題付与装置を提供することができる。
【発明を実施するための最良の形態】
【００１７】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１８】
図１は、本発明の一実施形態に係る表題付与装置１００の利用環境の一例を示す。図１では、撮像された画像に表題を付与して液晶ディスプレイ等の出力部１１０に表示するパーソナルコンピュータを、表題付与装置１００の一例として示す。表題付与装置１００は、デジタルスチルカメラ等を用いて撮像した複数の画像を、当該画像が撮像された撮像場所及び撮像時刻とともに保存している。そして表題付与装置１００は、ユーザ１８０によって選択された画像を表示するときに、画像の撮像時刻及び撮像場所に関連する表題を画像とともに記録する。そして表題付与装置１００は、画像に表題を合成して出力部１１０に表示する。例えば、表題付与装置１００は、２００４年の春に金閣寺で撮像された画像を表示するときには、「２００４年春、京都にて」等の表題を付与して、当該画像とともに出力部１１０に表示する。なお、表題付与装置１００は、複数の画像のそれぞれに表題を付与してもよく、複数の画像を含むアルバムに付けるタイトル等、複数の画像に一の表題を付与してもよい。
【００１９】
また、表題付与装置１００は、出力部１１０の画面に一度に表示する複数の画像に、それぞれ異なる表題を付与する。例えば、表題付与装置１００は、金閣寺及び京都駅で撮像した二つの画像に「２００４年春、京都にて」というような同一の表題を付与せず、例えばそれぞれの画像の撮像時刻及び撮像場所を限定する表題、例えばそれぞれの画像に「２００４年５月、金閣寺にて」及び「２００４年５月、京都駅にて」という表題を付与する。また、表題付与装置１００は、複数のアルバムにそれぞれ異なる表題を付与すべく、複数のアルバムに同じ表題を付与することになる場合には、それぞれのアルバムに含まれる画像の撮像時刻の範囲及び撮像場所の範囲を限定する用語を用いて表題を付与し直す。
【００２０】
また、表題付与装置１００は、画像に写っている人物の顔から被撮像者を識別する。また、表題付与装置１００は、表題付与装置１００に備えられた撮像部１０２によって撮像されたユーザ１８０の顔、及び／又は表題付与装置１００に備えられた録音部１０４によって録音されたユーザ１８０の声から、画像を閲覧するユーザ１８０を識別する。そして、表題付与装置１００は、ユーザ１８０と被撮像者との人物関係に応じた表題を画像に付与する。例えば、表題付与装置１００は、ユーザ１８０の孫が被撮像者であると判断したときには、「２００４年春、孫と京都にて」という表題を画像に付与する。
【００２１】
なお、表題付与装置１００は、パーソナルコンピュータの他にも、電子フォトスタンド、ＨＤＴＶ等の、画像を画面に表示する機器であってよい。また、他にも、表題付与装置１００はデジタルスチルカメラ、カメラ付携帯電話、ＰＤＡ等であってよく、画像を撮像するとともに、当該画像に表題を付与して画面に表示してもよい。また、表題付与装置１００は、プリンタ等の、画像を印刷する装置であってもよく、画像と表題を印刷出力してもよい。他にも、表題付与装置１００は、付与した表題に基づいて複数の画像を管理してもよい。例えば表題付与装置１００は、複数の画像に付与した表題を名前に持つディレクトリに、当該複数の画像を格納することによって複数の画像を管理してもよい。
【００２２】
以上説明した表題付与装置１００によれば、画像に適切な表題を自動的に付けてユーザ１８０に提供することができる。このため、ユーザ１８０は多くの画像の内容に適した表題を決定して登録するといった手間をかけることなく、画像を楽しく鑑賞することができる。
【００２３】
図２は、表題付与装置１００のブロック構成の一例を示す。表題付与装置１００は、撮像部１０２、録音部１０４、出力部１１０、撮像画像格納部２１０、顔画像格納部２１２、被撮像者判断部２１４、閲覧者判断部２１６、声格納部２１８、出力制御部２２０、出力時刻取得部２２２、期間用語格納部２７０、期間用語選択部２７２、撮像期間判定部２７４、撮像時刻格納部２７６、表題付与部２８２、人物関係格納部２８４、基準位置格納部２８６、地域用語格納部２９０、地域用語選択部２９２、撮像地域判定部２９４、及び撮像位置格納部２９６を備える。
【００２４】
撮像画像格納部２１０は、複数の撮像画像を含む撮像画像群を格納する。撮像位置格納部２９６は、撮像画像格納部２１０が格納する複数の撮像画像のそれぞれが撮像された撮像位置を格納する。また、撮像時刻格納部２７６は、撮像画像格納部２１０が格納する複数の撮像画像のそれぞれが撮像された撮像時刻を格納する。例えば、撮像画像格納部２１０は、複数の撮像画像を識別する画像ＩＤに対応づけて撮像画像を格納する。また、撮像位置格納部２９６は、画像ＩＤに対応づけて、当該撮像画像が撮像されたタイミングでＧＰＳ衛星から受信した緯度及び経度情報を格納する。また、撮像時刻格納部２７６は、画像ＩＤに対応づけて、撮像画像が撮像された撮像時刻を格納する。
【００２５】
撮像期間判定部２７４は、撮像時刻格納部２７６が格納する撮像時刻を含む撮像期間及び撮像時期を判定する。例えば、撮像期間判定部２７４は、撮像時刻格納部２７６が格納する、複数の撮像画像を含む撮像画像群が撮像された撮像時刻のうち、時間的に最も古い撮像時刻と時間的に最も新しい撮像時刻の間の時間範囲を判定する。
【００２６】
期間用語格納部２７０は、期間及び時期に対応づけて、当該期間及び時期に関連する用語を格納する。なお、期間用語格納部２７０は、期間及び時期に対応づけて、当該期間及び時期を含む時間幅の異なる複数の期間にそれぞれ関連する複数の用語を格納している。例えば、期間用語格納部２７０は、２００４年の１０月に関連する用語として「１０月」、「秋」、「２００４年」等、時間幅の異なる複数の期間に関連する用語を格納する。
【００２７】
そして期間用語選択部２７２は、撮像画像格納部２１０が格納する撮像画像群に含まれる、複数の撮像画像の撮像時刻を含む撮像期間内の時刻に対応づけて期間用語格納部２７０が格納する用語を選択する。具体的には、期間用語選択部２７２は、撮像時刻格納部２７６が格納する撮像時刻を含む期間に対応づけて期間用語格納部２７０が格納する用語を選択する。より具体的には、期間用語選択部２７２は、撮像期間判定部２７４が判定した撮像期間及び撮像時期に対応づけて期間用語格納部２７０が格納する用語を選択する。例えば、期間用語選択部２７２は、１０月に撮像された画像が撮像画像格納部２１０に格納されていると撮像期間判定部２７４によって判定された場合に、期間用語格納部２７０が格納する用語の中から「１０月」を選択する。
【００２８】
表題付与部２８２は、撮像期間判定部２７４が判定した撮像期間及び撮像時期を含む期間及び時期に対応づけて期間用語格納部２７０が格納する用語を用いて、撮像画像格納部２１０が格納する撮像画像群に表題を付与する。具体的には、表題付与部２８２は、期間用語選択部２７２が選択した用語を用いて、撮像画像格納部２１０が格納する撮像画像に表題を付与する。
【００２９】
出力部１１０は、撮像画像格納部２１０が格納する撮像画像群に含まれる複数の画像を出力するとともに、表題付与部２８２が付与した表題を出力する。具体的には、出力制御部２２０が、撮像画像格納部２１０が格納する撮像画像を出力部１１０に出力させるとともに、表題付与部２８２が付与した表題を出力部１１０に出力させる。なお、出力部１１０は、液晶等の、画像を表示する表示デバイスであってよく、画像を印刷して出力する印刷デバイスであってもよい。また、出力部１１０は、画像を出力するデバイスとは異なるデバイスに表題を出力してもよい。
【００３０】
出力時刻取得部２２２は、撮像画像格納部２１０が格納する複数の撮像画像の出力が要求された出力時刻を取得する。そして、表題付与部２８２は、撮像期間判定部２７４が判定した撮像期間及び撮像時期に含まれる撮像時刻と、出力時刻取得部２２２が取得した出力時刻との差がより長い場合に、期間用語格納部２７０が格納する複数の用語のうちの、より時間幅が広い期間に関連する用語を用いて表題を付与する。
【００３１】
例えば、期間用語選択部２７２は、撮像画像を２００４年の冬に出力するよう要求された場合には、期間用語格納部２７０が格納する「秋」を選択し、５年後に出力するよう要求された場合には、より時間幅が広い期間に関連する「２００４年」を選択する。このため、期間用語選択部２７２は、ユーザ１８０にとって分かり易い用語を表題付与部２８２に提供することができる。
【００３２】
撮像地域判定部２９４は、撮像位置格納部２９６が格納する撮像位置を含む撮像地域を判定する。例えば、撮像期間判定部２７４は、複数の撮像画像を含む撮像画像群が撮像された撮像位置として撮像位置格納部２９６が格納する複数の撮像位置を含む領域を判定する。
【００３３】
地域用語格納部２９０は、位置に対応づけて、当該位置を含む地域に関連する用語を格納する。なお、地域用語格納部２９０は、位置に対応づけて、当該位置を含む広さの異なる複数の地域にそれぞれ関連する複数の用語を格納する。例えば地域用語格納部２９０は、金閣寺の位置の緯度及び経度に対応付けて、「金閣寺」、「京都市」、「京都府」、「日本」等の、広さの異なる複数の地域に関連する用語を格納する。
【００３４】
そして地域用語選択部２９２は、撮像画像格納部２１０が格納する撮像画像群に含まれる、複数の撮像画像の撮像位置を含む撮像地域内の位置に対応づけて期間用語格納部２７０が格納する用語を選択する。具体的には、地域用語選択部２９２は、撮像位置格納部２９６が格納する撮像位置に対応づけて地域用語格納部２９０が格納する用語を選択する。より具体的には、地域用語選択部２９２は、撮像地域判定部２９４が判定した撮像地域に対応づけて地域用語格納部２９０が格納する用語を選択する。
【００３５】
表題付与部２８２は、撮像地域判定部２９４が判定した撮像地域内の位置に対応づけて地域用語格納部２９０が格納する用語をさらに用いて、撮像画像格納部２１０が格納する撮像画像群に表題を付与する。具体的には、表題付与部２８２は、地域用語選択部２９２が選択した用語を用いて、撮像画像格納部２１０が格納する撮像画像に表題を付与する。
【００３６】
基準位置格納部２８６は、予め設定された基準位置を格納する。そして、表題付与部２８２は、撮像地域判定部２９４が判定した撮像地域に含まれる撮像位置と、基準位置格納部２８６が格納する基準位置との差がより遠い場合に、地域用語格納部２９０が格納する複数の用語のうちの、より広い地域に関連する用語を用いて表題を付与する。例えば、基準位置格納部２８６は、表題付与装置１００を所有するユーザ１８０の自宅の位置等、ユーザ１８０が生活の拠点としている位置を格納する。そして、地域用語選択部２９２は、ユーザ１８０の自宅の位置と撮像位置との間の距離が遠くなる程、より広い地域に関連する用語、例えば「京都市」、「京都府」、「日本」の順で用語を選択する。そして、表題付与部２８２は、例えば日本以外の国に在住しているユーザ１８０が金閣寺で撮像した画像を閲覧するときには「日本の思い出」という表題を画像に付与する。そして、表題付与部２８２は、例えば京都に在住しているユーザ１８０が同じ画像を閲覧するときには「日本の思い出」等のようなユーザ１８０が違和感を感じる表題ではなく、「金閣寺の思い出」等の、ユーザ１８０にとって自然な表題を画像に付与する。
【００３７】
顔画像格納部２１２は、人物に対応づけて人物の顔画像を格納する。被撮像者判断部２１４は、撮像画像格納部２１０が格納する撮像画像の被撮像者を判断する。具体的には、被撮像者判断部２１４は、撮像画像格納部２１０が格納する撮像画像と、顔画像格納部２１２が格納する顔画像とを比較することにより、撮像画像格納部２１０が格納する撮像画像の被撮像者を判断する。
【００３８】
撮像部１０２は、出力部１１０が出力する撮像画像を閲覧する閲覧者を撮像する。閲覧者判断部２１６は、出力部１１０が出力する撮像画像を閲覧する閲覧者を判断する。具体的には、閲覧者判断部２１６は、撮像部１０２が撮像した閲覧者画像と、顔画像格納部２１２が格納する顔画像とを比較することにより、出力部１１０が出力する撮像画像を閲覧する閲覧者を判断する。
【００３９】
声格納部２１８は、人物に対応づけて人物の声を格納する。録音部１０４は、出力部１１０が出力する撮像画像を閲覧する閲覧者の声を録音する。そして、閲覧者判断部２１６は、録音部１０４が録音した声と、声格納部２１８が格納する声とを比較することにより、出力部１１０が出力する撮像画像を閲覧する閲覧者を判断する。例えば、声格納部２１８は、人物に対応づけて声紋データを格納しておく。そして、閲覧者判断部２１６は、録音部１０４によって録音された音声の声紋と声格納部２１８に格納された声紋データを照合することによって、閲覧者を判断する。
【００４０】
人物関係格納部２８４は、複数の人物の相互関係を格納する。表題付与部２８２は、被撮像者判断部２１４が判断した被撮像者と、閲覧者判断部２１６が判断した閲覧者との関係に基づいて、撮像画像格納部２１０が格納する撮像画像群に表題を付与する。具体的には、表題付与部２８２は、人物関係格納部２８４が格納する複数の人物の相互関係に基づいて、被撮像者判断部２１４が判断した被撮像者と、閲覧者判断部２１６が判断した閲覧者との関係を判断する。例えば、人物関係格納部２８４は、「父」、「兄」といった人物関係を格納しておく。そして、表題付与部２８２は、人物関係格納部２８４が格納する人物関係を含む表題を画像に付与する。
【００４１】
なお、被撮像者判断部２１４は、撮像画像格納部２１０が格納する複数の撮像画像のそれぞれの被撮像者を判断する。そして、表題付与部２８２は、被撮像者判断部２１４が判断した複数の被撮像者のうちの最も多くの撮像画像の被撮像者と、閲覧者判断部２１６が判断した閲覧者との関係に基づいて、撮像画像格納部２１０が格納する撮像画像群に表題を付与する。このため、被撮像者判断部２１４は、例えば観光地で撮像した撮像画像に、ユーザ１８０にとって関係のない観光客が写り込んでいても、ユーザ１８０が意図した被撮像者を適切に判断することができる。
【００４２】
なお、表題付与部２８２が、第１撮像画像と第２撮像画像とに同一の表題を付与した場合、期間用語選択部２７２は、第１撮像画像の撮像時刻に対応づけて期間用語格納部２７０が格納する用語のうち、前回第１撮像画像に付与された用語より時間幅の短い期間に関連する第１の用語を選択する。そして、期間用語選択部２７２は、さらに、第２撮像画像の撮像時刻に対応づけて期間用語格納部２７０が格納する用語のうち、前回第２撮像画像に付与された用語より時間幅の短い期間に関連する、第１の用語と異なる第２の用語を選択する。そして、表題付与部２８２は、期間用語選択部２７２が選択した第１の用語を用いて、第１撮像画像に表題を再付与する。さらに、表題付与部２８２は、期間用語選択部２７２が選択した第２の用語を用いて、第２撮像画像に表題を再付与する。
【００４３】
なお、ユーザ１８０が作成した既存のアルバム等の第２撮像画像群に付与されている表題と、ユーザ１８０が新たに作成したアルバム等の第１撮像画像群に付与された表題とが同一となった場合、期間用語選択部２７２は第１撮像画像群に付与された用語より時間幅の短い期間に関連する用語を新たに選択する。そして、表題付与部２８２は期間用語選択部２７２によって新たに選択された用語を用いて第１撮像画像群に表題を再付与する。さらに、期間用語選択部２７２は、第２撮像画像群に付与された用語より時間幅の短い期間に関連する、第１撮像画像群に再付与するときに用いられた用語とは異なる用語を選択する。そして表題付与部２８２は、期間用語選択部２７２によって選択された用語を用いて第２撮像画像群に表題を再付与する。
【００４４】
また、表題付与部２８２が、第１撮像画像と第２撮像画像とに同一の表題を付与した場合、地域用語選択部２９２は、第１撮像画像の撮像位置に対応づけて地域用語格納部２９０が格納する用語のうち、前回第１撮像画像に付与された用語より狭い地域に関連する第１の用語を選択する。そして、地域用語選択部２９２は、さらに、第２撮像画像の撮像位置に対応づけて地域用語格納部２９０が格納する用語のうち、前回第２撮像画像に付与された用語より狭い地域に関連する、第１の用語と異なる第２の用語を選択する。そして、表題付与部２８２は、地域用語選択部２９２が選択した第１の用語を用いて、第１撮像画像に表題を再付与する。そして、表題付与部２８２は、地域用語選択部２９２が選択した第２の用語を用いて、第２撮像画像に表題を再付与する。
【００４５】
なお、ユーザ１８０が作成した既存のアルバム等の第２撮像画像群に付与されている表題と、ユーザ１８０が新たに作成したアルバム等の第１撮像画像群に付与された表題とが同一となった場合、地域用語選択部２９２は第１撮像画像群に付与された用語より狭い地域に関連する用語を新たに選択する。そして、表題付与部２８２は地域用語選択部２９２によって新たに選択された用語を用いて第１撮像画像群に表題を再付与する。さらに、地域用語選択部２９２は、第２撮像画像群に付与された用語より狭い地域に関連する、第１撮像画像群に再付与するときに用いられた用語とは異なる用語を選択する。そして表題付与部２８２は、地域用語選択部２９２によって選択された用語を用いて第２撮像画像群に表題を再付与する。このため、表題付与部２８２は、既存のアルバムに付与した表題と同じ表題を新たに作成したアルバムに付与することがない。したがって、ユーザ１８０はそれぞれのアルバムを容易に区別することができる。
【００４６】
以上説明した表題付与装置１００によれば、画像を撮像した場所、時刻、及び被撮像者及び／又は閲覧者に応じた適切な表題が付与された画像を提供することができる。また、ユーザ１８０が画像に表題等を手入力して付与したりする煩雑な操作をすることなく、適切な表題が付与された画像を手軽に鑑賞することができる。また、表題付与部２８２は複数のアルバム及び／又は複数の画像毎に異なる表題を付与するので、ユーザ１８０は複数のアルバム及び／又は複数の画像を容易に区別することができる。
【００４７】
図３は、期間用語格納部２７０が格納するデータの一例をテーブル形式で示す。期間用語格納部２７０は、時期及び時間幅の異なる複数の期間のそれぞれに関連する用語を格納する。なお、期間用語格納部２７０は、格納する。例えば、期間用語格納部２７０は、２００４年１０月９日に関連する用語として、「運動会」、「１０月９日」、「１０月」、「秋」、「２００４年」といった用語を格納する。そして、期間用語選択部２７２は、例えば１０月９日に撮像した画像に付与する表題として、「１０月９日」という用語を選択することができるし、「運動会」という用語を選択することもできる。また、期間用語選択部２７２は、例えば「１０月９日の運動会」という用語を選択することもできる。また、期間用語選択部２７２は、例えば１０月９日及び１０月１０日に撮像した画像に、「１０月の運動会」等の用語を選択することもできる。したがって、期間用語格納部２７０は、複数の画像が撮像された時間範囲に応じた適切な用語を表題付与部２８２に提供することができる。
【００４８】
なお、期間用語格納部２７０は、現在の時刻と相対的な時期及び期間を示す用語を格納してもよい。例えば、期間用語格納部２７０は、２００４年を示す時間範囲の用語として、２００４年の時点において「今年」という用語を格納する。そして、期間用語格納部２７０は、時間の進展に応じて格納する用語を更新してもよい。例えば、期間用語格納部２７０は、２００４年を示す時間範囲の用語を、２００５年になった時点で「昨年」に更新する。これにより、期間用語格納部２７０は、人間の時間的な感覚に合致した適切な用語を表題付与部２８２に提供することができる。
【００４９】
なお、期間用語格納部２７０は、表題付与装置１００を機能させるソフトウェアが用語データとして格納することによって実現されてよく、記録媒体に用語データが記録されることによって実現されてもよい。また、期間用語格納部２７０は、ユーザ１８０からの入力を受け付けて、ユーザ１８０から入力された用語を格納してもよい。これにより、期間用語格納部２７０は、例えば「誕生日」等の、ユーザ１８０の個々に応じた用語を表題付与部２８２に提供することができる。
【００５０】
図４は、地域用語格納部２９０が格納するデータの一例をテーブル形式で示す。地域用語格納部２９０は、緯度及び経度情報に対応付けて、広さの異なる複数の地域のそれぞれに関連する用語を格納する。例えば、地域用語格納部２９０は、京都駅の緯度及び経度情報に対応づけて、「京都駅」、「京都市」、「京都府」、及び「日本」を格納する。このとき、期間用語選択部２７２は、例えば京都駅で撮像した画像について「京都駅」を選択してよい。また、期間用語選択部２７２は、例えば「京都駅」及び「金閣寺」で撮像した画像に「京都市」の表題を付与することもできる。つまり、地域用語格納部２９０は、複数の画像が撮像された撮像地域を含む適切な用語を表題付与部２８２に提供することができる。
【００５１】
また、基準位置格納部２８６は、予め設定された基準位置、例えばユーザ１８０の自宅の位置の緯度及び経度を格納しておく。このとき、地域用語格納部２９０は、例えばユーザ１８０の自宅が日本以外の国にあるときには、金閣寺で撮像した画像に付与する表題の用語として、「日本」という用語を表題付与部２８２に提供することができる。また、地域用語格納部２９０は、京都府に自宅があるユーザ１８０が同じ画像を閲覧するときには、「金閣寺」という用語を表題付与部２８２に提供することができる。この結果、例えば日本以外の国に自宅があるユーザ１８０が金閣寺で撮像した画像を閲覧するときには「２００４年、日本の思い出」というような表題が表題付与部２８２によって画像に付与される。そして、京都府に自宅があるユーザ１８０が同じ画像を閲覧するときには「２００４年、日本の思い出」などといったユーザ１８０が違和感を感じる表題ではなく、「２００４年、金閣寺の思い出」という、ユーザ１８０にとって自然な表題が表題付与部２８２によって画像に付与される。
【００５２】
図５は、撮像画像に付与される表題の一例を示す。この例では、撮像画像格納部２１０は、２００４年の４月の時刻ｔ５０１〜ｔ５０３に撮像された画像、及び２００４年の５月の時刻ｔ５０４〜ｔ５０６で撮像された画像を格納している。なお、撮像位置格納部２９６は、時刻ｔ５０１〜ｔ５０３に金閣寺で撮像したときの撮像位置、時刻ｔ５０４及びｔ５０５に清水寺で撮像したときの撮像位置、及び時刻ｔ５０６に京都駅で撮像したときの撮像位置の緯度及び経度情報を格納している。
【００５３】
表題付与装置１００は、時刻ｔ５０１〜ｔ５０３において撮像された画像を出力するよう２００４年６月における時刻ｔ５０７に要求された場合、表題付与部２８２は、「４月、金閣寺にて」という表題を付与する。また、時刻ｔ５０４及びｔ５０５において撮像された画像を出力するよう時刻ｔ５０７に要求さると、「５月、清水寺にて」という表題を付与する。また、表題付与装置１００は、時刻ｔ５０４〜ｔ５０６において撮像された画像を出力するよう時刻ｔ５０７に要求された場合には、当該位置を含む地域の用語、例えば「京都市」を期間用語格納部２７０から選択して、「５月、京都市にて」という表題を付与する。
【００５４】
また、表題付与装置１００は、時刻ｔ５０１〜ｔ５０３において撮像された画像を出力するよう、２０１０年における時刻ｔ５０８に要求された場合、表題付与装置１００は、「５月」より時間幅が広い時間範囲に関連する用語、例えば「２００４年」を期間用語格納部２７０から選択して、「２００４年、金閣寺にて」という表題を付与する。同様に、表題付与部２８２は、時刻ｔ５０８において、時刻ｔ５０４〜ｔ５０６に撮像された画像及び時刻ｔ５０４〜ｔ５０６において撮像された画像に、それぞれ「２００４年、清水寺にて」、「２００４年、京都市にて」という表題を付与する。なお、表題付与装置１００は、ユーザ１８０によって基準位置格納部２８６に日本以外の国が基準位置として設定されている場合には、時刻ｔ５０４〜ｔ５０６において撮像された画像に「２００４年、日本にて」という表題を付与して出力する。以上説明したように、表題付与装置１００は、画像を撮像した場所、期間をユーザ１８０にとって認識し易い表題を画像に付与することができる。
【００５５】
図６は、顔画像格納部２１２が格納するデータの一例をテーブル形式で示す。顔画像格納部２１２は、人物を識別する人物ＩＤに対応づけて、人物の顔を撮像した顔画像を格納する。なお、顔画像格納部２１２は、撮像部１０２によって撮像された人物の画像から登録された顔画像を格納してもよい。他にも、顔画像格納部２１２は、撮像画像格納部２１０が格納する画像の、ユーザ１８０が選択した画像領域から人物の顔画像を抽出して格納してもよい。また、顔画像格納部２１２は、顔画像そのものに代えて、顔画像から抽出した特徴量を格納してもよい。例えば、顔画像格納部２１２は、顔の輪郭形状、或いは、眼、鼻、口といった、顔における特徴的な部位の形状、それぞれの部位の顔全体における位置、又はそれぞれの部位の間の位置関係等を格納してよい。
【００５６】
なお、閲覧者判断部２１６は、撮像部１０２によって撮像された画像から閲覧者の顔の特徴量を抽出して、当該特徴量と顔画像格納部２１２が格納する顔画像の特徴量を比較して、閲覧者の人物ＩＤを判断してよい。同様に、被撮像者判断部２１４は、撮像画像格納部２１０が格納する撮像画像に写っている被写体の顔の特徴量を抽出して、顔画像格納部２１２が格納する顔画像の特徴量を比較することによって、被撮像者の人物ＩＤを判断してよい。なお、閲覧者判断部２１６及び被撮像者判断部２１４は、人間の肌の色に近い色の画像領域を抽出することによって人物の顔を含む画像領域を判断し、当該画像領域においてエッジ抽出等を用いて抽出される被写体の輪郭に基づいて、顔の特徴量を抽出してよい。
【００５７】
なお、被撮像者判断部２１４は、撮像画像の中心を含む予め定めた範囲の画像と顔画像とを比較することによって、被撮像者の人物ＩＤを判断してもよい。また、被撮像者判断部２１４は、撮像画像において空間周波数が予め定めた値よりも大きい画像領域の被写体から被撮像者の顔画像を抽出してもよい。なお、被撮像者判断部２１４は、撮像画像に写った複数の被撮像者の人物ＩＤを判断してもよい。
【００５８】
図７は、声格納部２１８が格納するデータの一例をテーブル形式で示す。声格納部２１８は、人物ＩＤに対応づけて、人物が発する声から得られる声紋データを格納する。なお、声格納部２１８は、録音部１０４によって録音された人物の声から抽出される声紋データを格納することが望ましい。そして、閲覧者判断部２１６は、録音部１０４によって録音された音声から声紋データを抽出して、声格納部２１８が格納する声紋データと比較することによって、閲覧者の人物ＩＤを判断する。
【００５９】
図８は、人物関係格納部２８４が格納するデータの一例をテーブル形式で示す。人物関係格納部２８４は、人物を識別する人物ＩＤ、当該人物とは異なる人物を識別する人物ＩＤ、及びこれらの人物の相互関係を格納する。図８の例では、人物関係格納部２８４は、人物ＩＤ＃６０１の人物から見た人物ＩＤ＃６０２の人物の関係として、「兄」を格納する。また、人物関係格納部２８４は、人物ＩＤ＃６０１の人物から見た人物ＩＤ＃７０１の人物の関係として、「父」を格納する。また、人物関係格納部２８４は、人物ＩＤ＃７０１の人物から見た人物ＩＤ＃７０２の人物の関係として、「友人」を格納する。
【００６０】
そして、表題付与部２８２は、被撮像者判断部２１４及び閲覧者判断部２１６のそれぞれによって判断された被撮像者及び閲覧者の人物ＩＤ、並びに、人物関係格納部２８４が格納している相互関係に基づいて、閲覧者と被撮像者の関係を判断する。そして、表題付与部２８２は、当該関係に基づいて、人物関係を示す用語を含む表題を画像に付与する。例えば、表題付与部２８２は、閲覧者が＃６０１で識別される人物であり、被撮像者が＃６０２で識別される人物である場合には、「兄」を含む表題を画像に付与する。また、例えば、表題付与部２８２は、閲覧者が＃６０１で識別される人物であり、被撮像者が＃７０２で識別される人物である場合には、「父の友人」を含む表題を画像に付与する。なお、表題付与部２８２は、閲覧者判断部２１６で判断される閲覧者が、被撮像者判断部２１４によって判断される被撮像者と同一人物である場合は、例えば「私」を含む表題を画像に付与してもよい。また、表題付与部２８２は、閲覧者を含む複数の非撮像者が画像に写っていると閲覧者判断部２１６によって判断された場合、例えば「兄と一緒に」等の、閲覧者が被撮像者として含まれる旨を含む表題を画像に付与してもよい。
【００６１】
なお、表題付与部２８２は、表題を生成する表題テンプレートを有してもよい。例えば、表題付与部２８２は、期間用語選択部２７２によって選択される用語である期間用語、地域用語選択部２９２によって選択される用語である地域用語、及び閲覧者と被撮像者によって定まる人物関係用語を当てはめることによって表題が決定される表題テンプレートを有してよい。例えば、表題付与部２８２は、『「期間用語」の「人物関係用語」、「地域用語」にて』という表題テンプレートを用いて『２００４年の兄、金閣寺にて』という表題を生成する。また、被撮像者判断部２１４によって判断された複数の被撮像者の中に閲覧者が含まれる場合には、表題付与部２８２は、『「期間用語」、「人物関係用語」と「地域用語」にて』という表題テンプレートを用いて、『２００４年、兄と金閣寺にて』という表題を生成してもよい。
【００６２】
図９は、表題を付与する処理の流れの一例を示す。表題付与部２８２は、出力部１１０に出力する撮像画像に含まれる人物の人物ＩＤを被撮像者判断部２１４から受け取ることによって、被撮像者を判断する（Ｓ９０２）。なお、表題付与装置１００が複数の画像に表題を付与する場合には、被撮像者判断部２１４は当該複数の撮像画像のそれぞれに含まれる人物の人物ＩＤを取得して、表題付与部２８２は被撮像者判断部２１４から受け取った人物ＩＤのうち、最も多い数の画像から判断された人物ＩＤを被撮像者の人物ＩＤとして判断する。
【００６３】
そして、表題付与部２８２は、閲覧者判断部２１６から閲覧者の人物ＩＤを受け取ることによって、閲覧者を判断する（Ｓ９０４）。そして、表題付与部２８２は、閲覧者から見た被撮像者の相互関係を人物関係格納部２８４に格納されているデータから判断する（Ｓ９０６）。そして、表題付与部２８２は、閲覧者から見た被撮像者の相互関係を示す用語を決定する（Ｓ９０８）。
【００６４】
また、撮像期間判定部２７４は、出力部１１０に出力する撮像画像が撮像された撮像期間及び撮像時期を判定する（Ｓ９１０）。そして、期間用語選択部２７２は、Ｓ９１０において判定された撮像期間及び撮像時期に基づいて、期間及び時期に関連する用語を期間用語格納部２７０から選択する（Ｓ９１２）。また、撮像地域判定部２９４は、出力部１１０に出力する撮像画像が撮像された撮像地域を判定する（Ｓ９１４）。そして、地域用語選択部２９２は、Ｓ９１４において判定された撮像地域に基づいて、当該撮像地域に関連する用語を地域用語格納部２９０から選択する（Ｓ９１６）。
【００６５】
そして、表題付与部２８２は、Ｓ９０８、Ｓ９１２、及びＳ９１６で選択された用語を用いて、出力部１１０に出力する画像に対する表題を決定する（Ｓ９１８）。そして、表題付与部２８２は、複数の画像及び／又は複数の画像群に同一の表題が付与されるか否かを判断する（Ｓ９２０）。このとき、表題付与部２８２は、例えば出力部１１０に表示する複数の画像にそれぞれ表題を付与する場合に、それぞれの画像及び／又は画像群に同じ表題が付与されるか否かを判断してよい。他にも、出力部１１０が印刷媒体に画像と表題を印刷出力する場合、表題付与部２８２は、当該印刷媒体に出力する複数の画像に同じ表題が付与されるか否かを判断してもよい。
【００６６】
Ｓ９２０において、複数の画像及び／又は複数の画像群に同一の表題を付与されないと判断した場合には、表題付与部２８２は、画像に付与すべき表題を出力制御部２２０に送信し、出力制御部２２０は画像及び表題を出力部１１０に出力させる（Ｓ９２２）。また、Ｓ９２０において複数の画像及び／又は複数の画像群に同一の表題が付与されると判断した場合には、期間用語選択部２７２は、Ｓ９１２で選択した用語と異なる、当該用語よりも時間幅の短い期間に関連する用語を新たに選択する（Ｓ９２４）。このとき、期間用語選択部２７２は、Ｓ９２０において同一の表題を付与した画像のそれぞれについて用語を新たに選択する。
【００６７】
そして、地域用語選択部２９２は、Ｓ９１６で選択した用語と異なる、当該用語よりもより狭い地域に関連する用語を新たに選択する（Ｓ９２６）。なお、期間用語選択部２７２は、Ｓ９２０において同一の表題が付与されると判断した複数の画像及び／又は複数の画像群のそれぞれについて、用語を新たに選択する。そして、表題付与部２８２は、Ｓ９２４及びＳ９２６で選択された用語を用いて、Ｓ９１８において新たな表題を決定する。このため、表題付与装置１００は、複数の画像及び／又は複数の画像群に対してそれぞれ異なる表題を付与してユーザ１８０に提供することができる。
【００６８】
図１０は、本実施形態に係る表題付与装置１００のハードウェア構成の一例を示す。表題付与装置１００は、ホスト・コントローラ１５８２により相互に接続されるＣＰＵ１５０５、ＲＡＭ１５２０、グラフィック・コントローラ１５７５、及び表示装置１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００６９】
ホスト・コントローラ１５８２は、ＲＡＭ１５２０と、高い転送レートでＲＡＭ１５２０をアクセスするＣＰＵ１５０５、及びグラフィック・コントローラ１５７５とを接続する。ＣＰＵ１５０５は、ＲＯＭ１５１０、及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示装置１５８０上に表示させる。これに代えて、グラフィック・コントローラ１５７５は、ＣＰＵ１５０５等が生成する画像データを格納するフレーム・バッファを、内部に含んでもよい。
【００７０】
入出力コントローラ１５８４は、ホスト・コントローラ１５８２と、比較的高速な入出力装置であるハードディスクドライブ１５４０、通信インターフェイス１５３０、ＣＤ−ＲＯＭドライブ１５６０を接続する。ハードディスクドライブ１５４０は、ＣＰＵ１５０５が使用するプログラム、及びデータを格納する。通信インターフェイス１５３０は、ネットワーク通信装置１５９８に接続してプログラムまたはデータを送受信する。ＣＤ−ＲＯＭドライブ１５６０は、ＣＤ−ＲＯＭ１５９５からプログラムまたはデータを読み取り、ＲＡＭ１５２０を介してハードディスクドライブ１５４０、及び通信インターフェイス１５３０に提供する。
【００７１】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、表題付与装置１００が起動時に実行するブート・プログラムや、表題付与装置１００のハードウェアに依存するプログラム等を格納する。フレキシブルディスク・ドライブ１５５０は、フレキシブルディスク１５９０からプログラムまたはデータを読み取り、ＲＡＭ１５２０を介してハードディスクドライブ１５４０、及び通信インターフェイス１５３０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００７２】
ＣＰＵ１５０５が実行するプログラムは、フレキシブルディスク１５９０、ＣＤ−ＲＯＭ１５９５、またはＩＣカード等の記録媒体に格納されて利用者によって提供される。記録媒体に格納されたプログラムは圧縮されていても非圧縮であってもよい。プログラムは、記録媒体からハードディスクドライブ１５４０にインストールされ、ＲＡＭ１５２０に読み出されてＣＰＵ１５０５により実行される。
【００７３】
ＣＰＵ１５０５により実行されるプログラムは、表題付与装置１００を、撮像部１０２、録音部１０４、出力部１１０、撮像画像格納部２１０、顔画像格納部２１２、被撮像者判断部２１４、閲覧者判断部２１６、声格納部２１８、出力制御部２２０、出力時刻取得部２２２、期間用語格納部２７０、期間用語選択部２７２、撮像期間判定部２７４、撮像時刻格納部２７６、表題付与部２８２、人物関係格納部２８４、基準位置格納部２８６、地域用語格納部２９０、地域用語選択部２９２、撮像地域判定部２９４、及び撮像位置格納部２９６として機能させる。
【００７４】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスクまたはＲＡＭ等の記憶装置を記録媒体として使用し、ネットワークを介してプログラムを表題付与装置１００に提供してもよい。
【００７５】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００７６】
【図１】表題付与装置１００の利用環境を示す図である。
【図２】表題付与装置１００のブロック構成を示す図である。
【図３】期間用語格納部２７０が格納するデータをテーブル形式で示す図である。
【図４】地域用語格納部２９０が格納するデータをテーブル形式で示す図である。
【図５】撮像画像及び付与される表題を示す図である。
【図６】顔画像格納部２１２が格納するデータをテーブル形式で示す図である。
【図７】声格納部２１８が格納するデータをテーブル形式で示す図である。
【図８】人物関係格納部２８４が格納するデータをテーブル形式で示す図である。
【図９】表題を付与する処理の流れを示す図である。
【図１０】表題付与装置１００のハードウェア構成を示す図である。
【符号の説明】
【００７７】
１００  表題付与装置
１０２  撮像部
１０４  録音部
１１０  出力部
１８０  ユーザ
２１０  画像格納部
２１２  顔画像格納部
２１４  被撮像者判断部
２１６  閲覧者判断部
２１８  声格納部
２２０  出力制御部
２２２  出力時刻取得部
２７０  期間用語格納部
２７２  期間用語選択部
２７４  撮像期間判定部
２７６  撮像時刻格納部
２８２  表題付与部
２８４  人物関係格納部
２８６  基準位置格納部
２９０  地域用語格納部
２９２  地域用語選択部
２９４  撮像地域判定部
２９６  撮像位置格納部
【図１】
2006236266.tif 000003
【図２】
2006236266.tif 000004
【図３】
2006236266.tif 000005
【図４】
2006236266.tif 000006
【図５】
2006236266.tif 000007
【図６】
2006236266.tif 000008
【図７】
2006236266.tif 000009
【図８】
2006236266.tif 000010
【図９】
2006236266.tif 000011
【図１０】
2006236266.tif 000012